(57)【特許請求の範囲】
【請求項１】
読取装置から読み取られた原稿の画像情報を取得する取得手段と、
前記取得手段により取得された画像情報を表示する表示手段と、
前記表示手段により表示された画像情報から画質むらの解析位置を受け付ける受付手段と、
前記受付手段により受け付けられた解析位置の画像情報の周波数解析を行なってピッチ情報を検出する検出手段と、
前記検出手段により検出されたピッチ情報を表示するよう前記表示手段を制御する制御手段と、
前記画像情報と前記ピッチ情報とを前記解析位置に関連付けて履歴情報として記憶する記憶手段と、を有し、
前記制御手段は、前記記憶手段に記憶された解析位置を前記表示手段に表示するよう制御する端末装置。
【請求項２】
操作者により、前記表示手段に表示された前記記憶手段に記憶された解析位置が選択されると、前記制御手段は、前記記憶手段に記憶された解析位置に基づいて前記ピッチ情報を表示するよう制御する請求項１記載の端末装置。
【請求項３】
前記制御手段は、前記記憶手段に記憶された解析位置を現在の解析位置と異なる色で表示するよう制御する請求項１又は２に記載の端末装置。
【請求項４】
読取装置から読み取られた原稿の画像情報を取得する取得手段と、
前記取得手段により取得された画像情報を表示する表示手段と、
前記表示手段により表示された画像情報から画質むらの解析位置を受け付ける受付手段と、
前記受付手段により受け付けられた解析位置の画像情報の周波数解析を行なってピッチ情報を検出する検出手段と、
前記検出手段により検出されたピッチ情報を表示するよう前記表示手段を制御する制御手段と、
前記画像情報と前記ピッチ情報とを前記解析位置に関連付けて履歴情報として記憶する記憶手段と、を有し、
前記制御手段は、前記記憶手段に記憶された解析位置を前記表示手段に表示するよう制御する端末装置と、
前記ピッチ情報と画質むらの原因部品の情報とを対応づけて格納する格納手段と、
前記端末装置から前記検出手段により検出されたピッチ情報を受信した場合、受信したピッチ情報と前記格納手段に格納された情報とから推定される画質むらの原因部品の情報を前記端末装置へ送信する送信手段と、を有するサーバ装置と、
を備えた診断システム。
【請求項５】
読取装置から読み取られた原稿の画像情報を取得するステップと、
取得された画像情報を表示するステップと、
表示された画像情報から画質むらの解析位置を受け付けるステップと、
受け付けられた解析位置の画像情報の周波数解析を行なってピッチ情報を検出するステップと、
検出されたピッチ情報を表示するよう制御するステップと、
前記画像情報と前記ピッチ情報とを前記解析位置に関連付けて履歴情報として記憶するステップと、
履歴情報として記憶された解析位置を表示するよう制御するステップと、
をコンピュータに実行させるためのプログラム。
【発明の詳細な説明】
【技術分野】
【０００１】
本発明は、端末装置、診断システムおよびプログラムに関する。
【背景技術】
【０００２】
特許文献１には、ビデオ環境に於いて応用し、ディスプレイ・スクリーンが表示した画面内容に対して局部もしくは全部を選択し、選択した局部もしくは全部画面の内容のビデオ信号に対して処理を行い、それをユーザの要求に基づきディスプレイ・スクリーン上に表示するビデオ信号処理の方法が開示されている。
【０００３】
特許文献２には、画像露光手段によりバンディング原因検出用の写真プリントを作成し、この写真プリントの画像を読み取るスキャナーと、前記画像の指定されたエリアを検出するエリア検出手段と、前記画像露光手段により、写真感光材料に対して、走査露光が開始されてから終了するまでの間に駆動される部品の駆動タイミングチャートデータを記憶する記憶部とを備えたバンディング検出装置が開示されている。
【先行技術文献】
【特許文献】
【０００４】
【特許文献１】特開２０１０−０９１７２３号公報
【特許文献２】特開２００３−５２９８号公報
【発明の概要】
【発明が解決しようとする課題】
【０００５】
画像形成装置において形成された画像にバンディング（画質のムラ）が生じた場合、解析対象の装置において形成された画像情報を取得し、取得した画像情報においてそのバンディングの原因を解明しようとする場合がある。
【０００６】
このような場合に、部分的に発生しているバンディングや、薄いバンディング等のバンディングを把握しにくい場合があり、このバンディングの原因を特定することが難しい。
【０００７】
本発明の目的は、履歴情報を記憶しないで特定する場合と比較して、バンディングの原因の特定を容易にすることが可能な端末装置、診断システムおよびプログラムを提供することである。
【課題を解決するための手段】
【０００８】
［端末装置］
請求項１に係る本発明は、読取装置から読み取られた原稿の画像情報を取得する取得手段と、前記取得手段により取得された画像情報を表示する表示手段と、前記表示手段により表示された画像情報から画質むらの解析位置を受け付ける受付手段と、前記受付手段により受け付けられた解析位置の画像情報の周波数解析を行なってピッチ情報を検出する検出手段と、前記検出手段により検出されたピッチ情報を表示するよう前記表示手段を制御する制御手段と、前記画像情報と前記ピッチ情報とを前記解析位置に関連付けて履歴情報として記憶する記憶手段と、を有し、前記制御手段は、前記記憶手段に記憶された解析位置を前記表示手段に表示するよう制御する端末装置である。
【０００９】
請求項２に係る本発明は、操作者により、前記表示手段に表示された前記記憶手段に記憶された解析位置が選択されると、前記制御手段は、前記記憶手段に記憶された解析位置に基づいて前記ピッチ情報を表示するよう制御する請求項１記載の端末装置である。
【００１０】
請求項３に係る本発明は、前記制御手段は、前記記憶手段に記憶された解析位置を現在の解析位置と異なる色で表示するよう制御する請求項１又は２に記載の端末装置である。
【００１１】
［診断システム］
請求項４に係る本発明は、読取装置から読み取られた原稿の画像情報を取得する取得手段と、前記取得手段により取得された画像情報を表示する表示手段と、前記表示手段により表示された画像情報から画質むらの解析位置を受け付ける受付手段と、前記受付手段により受け付けられた解析位置の画像情報の周波数解析を行なってピッチ情報を検出する検出手段と、前記検出手段により検出されたピッチ情報を表示するよう前記表示手段を制御する制御手段と、前記画像情報と前記ピッチ情報とを前記解析位置に関連付けて履歴情報として記憶する記憶手段と、を有し、前記制御手段は、前記記憶手段に記憶された解析位置を前記表示手段に表示するよう制御する端末装置と、前記ピッチ情報と画質むらの原因部品の情報とを対応づけて格納する格納手段と、前記端末装置から前記検出手段により検出されたピッチ情報を受信した場合、受信したピッチ情報と前記格納手段に格納された情報とから推定される画質むらの原因部品の情報を前記端末装置へ送信する送信手段と、を有するサーバ装置と、を備えた診断システムである。
【００１２】
［プログラム］
請求項５に係る本発明は、読取装置から読み取られた原稿の画像情報を取得するステップと、取得された画像情報を表示するステップと、表示された画像情報から画質むらの解析位置を受け付けるステップと、受け付けられた解析位置の画像情報の周波数解析を行なってピッチ情報を検出するステップと、検出されたピッチ情報を表示するよう制御するステップと、前記画像情報と前記ピッチ情報とを前記解析位置に関連付けて履歴情報として記憶するステップと、履歴情報として記憶された解析位置を表示するよう制御するステップと、をコンピュータに実行させるためのプログラムである。
【発明の効果】
【００１３】
請求項１に係る本発明によれば、履歴情報を記憶しないで特定する場合と比較して、バンディングの原因の特定を容易にすることが可能な端末装置を提供することができる。
【００１４】
請求項２に係る本発明によれば、履歴情報を参照して、バンディングの原因の特定を容易にすることができる。
【００１５】
請求項３に係る本発明によれば、履歴情報を参照して、バンディングの原因の特定を容易にすることができる。
【００１６】
請求項４に係る本発明によれば、履歴情報を記憶しないで特定する場合と比較して、バンディングの原因の特定を容易にすることが可能な診断システムを提供することができる。
【００１７】
請求項５に係る本発明によれば、履歴情報を記憶しないで特定する場合と比較して、バンディングの原因の特定を容易にすることが可能なプログラムを提供することができる。
【図面の簡単な説明】
【００１８】
【図１】本発明の一実施形態のバンディング診断システムの構成を示すシステム図である。
【図２】本発明の一実施形態における端末装置１０のハードウェア構成を示すブロック図である。
【図３】本発明の一実施形態における端末装置１０の機能構成を示すブロック図である。
【図４】本発明の一実施形態におけるサーバ装置１２の機能構成を示すブロック図である。
【図５】図４中のピッチデータ格納部５０に格納される情報の一例を示す図である。
【図６】本発明の一実施形態におけるバンディング診断システムの動作を説明するためのフローチャートである。
【図７】本発明の一実施形態における端末装置１０の表示部４２に表示される画面の一例を示す図である。
【図８】本発明の一実施形態における端末装置１０の表示部４２に表示されるバンディング解析画像（解析結果）の一例を示す図である。
【図９】本発明の一実施形態におけるバンディング解析位置をユーザにより指定する際の表示画面例を示す図である。
【図１０】本発明の一実施形態におけるバンディング診断システムにおいて高速フーリエ変換を行う領域を説明する図である。
【図１１】本発明の一実施形態におけるバンディング解析結果を表示する表示画面例を示す図である。
【図１２】本発明の一実施形態におけるバンディング解析結果を表示する表示画面例を示す図である。
【図１３】本発明の一実施形態におけるバンディング解析結果の切り換え動作を説明するための表示画面例を示す図である。
【図１４】本発明の一実施形態におけるバンディング解析結果を表示する表示画面例を示す図であって、過去の解析結果を履歴として表示する例を示す図である。
【図１５】本発明の一実施形態における端末装置１０の表示部４２に表示される画面の一例を示す図であって、サーバ装置１２へコメントを送信する例を示す図である。
【図１６】本発明の一実施形態におけるバンディング解析結果を表示する表示画面例を示す図であって、過去の解析結果を履歴として表示して、さらに図１５中「○」が入力された座標位置に表示される画面の一例を示す図である。
【図１７】本発明の一実施形態におけるバンディング解析結果を表示する表示画面例を示す図であって、画面表示を実寸表示にした場合を示す図である。
【図１８】本発明の一実施形態におけるバンディング解析結果のエリア表示部７６周辺を拡大して示す図である。
【図１９】本発明の一実施形態におけるバンディング解析結果を表示する表示画面例を示す図であって、バンディングの濃淡を強調表示して示す図である。
【発明を実施するための形態】
【００１９】
次に、本発明の実施の形態について図面を参照して詳細に説明する。
【００２０】
図１は本発明の一実施形態のバンディング診断システムの構成を示すシステム図である。
【００２１】
本発明の一実施形態のバンディング診断システムは、図１に示されるように、パーソナルコンピュータ、スマートフォン、タブレット端末装置等の携帯可能な端末装置１０と、サーバ装置１２とから構成されている。
【００２２】
なお、端末装置１０は、通信ネットワークを介してサーバ装置１２に接続可能な装置であればどのような装置であっても本発明は適用可能である。ただし、本実施形態では、端末装置１０が、画像情報を取得可能な装置および、タッチ入力が可能なタッチパネルを備えたタブレット端末装置の場合を用いて説明する。
【００２３】
端末装置１０は、エンドユーザが使用しているプリンタ等の画像形成装置１４の保守管理、修理等を行うサービスマン（保守要員）により携帯され、画像形成装置１４から受信した画像情報を取得して、取得した画像情報を周波数解析したり、サーバ装置１２から取得した周波数解析結果によるバンディング解析結果を表示するために使用される。
【００２４】
端末装置１０と、サーバ装置１２とは、Ｗｉ−Ｆｉルータ等の無線ＬＡＮターミナル１６や、インターネット通信網１８を介して接続され情報の送受信を行っている。
【００２５】
なお、端末装置１０が携帯電話装置やスマートフォン等の場合には、端末装置１０とサーバ装置１２とを携帯電話回線網を介して接続して、不具合情報の送受信を行うようにすることも可能である。
【００２６】
本実施形態のバンディング診断システムでは、エンドユーザの場所に設置された対象電子機器である画像形成装置１４にバンディングが発生した場合、サービスマンが端末装置１０を携帯して画像形成装置１４の場所に出向く。そして、このサービスマンが、シアン（Ｃ）、マゼンタ（Ｍ）、イエロー（Ｙ）およびブラック（Ｋ）の各色の一定濃度で塗り潰された画像を原稿とし、これらの原稿を読取装置で読み取ることによって得られた画像情報を端末装置１０を用いて取得して、バンディングの原因を特定するバンディング診断を行う。
【００２７】
次に、本実施形態のバンディング診断システムにおける端末装置１０のハードウェア構成を図２に示す。
【００２８】
端末装置１０は、図２に示されるように、ＣＰＵ２０、一時的にデータを保存可能なメモリ２２、フラッシュメモリ等の記憶装置２４、無線ＬＡＮターミナル１６との間で無線通信を行ってデータの送信及び受信を行う無線ＬＡＮインタフェース（ＩＦ）２６、タッチセンサ等の入力装置２８、表示装置３０を有する。これらの構成要素は、制御バス３２を介して互いに接続されている。
【００２９】
本実施形態の端末装置１０では、表示装置３０上にタッチ位置を検出するためのタッチセンサが入力装置２８として設けられたタッチパネルが備えられていて、このタッチパネルを用いて表示が行われるとともにユーザからの入力が行われる。
【００３０】
ＣＰＵ２０は、メモリ２２または記憶装置２４に格納された制御プログラムに基づいて所定の処理を実行して、端末装置１０の動作を制御する。なお、この制御プログラムは、インターネット通信網１８や携帯電話回線網を介してダウンロードすることにより入手してＣＰＵ２０に提供することも可能であるし、当該プログラムをＣＤ−ＲＯＭ等の記憶媒体に格納してＣＰＵ２０に提供することも可能である。
【００３１】
本実施形態の端末装置１０は、上記の制御プログラムが実行されることにより以下に説明するような動作を行って、サービスマンがバンディングの原因を特定する業務の手助けを行う。
【００３２】
図３は、上記の制御プログラムが実行されることにより実現される端末装置１０の機能構成を示すブロック図である。
【００３３】
本実施形態の端末装置１０は、図３に示されるように、画像データ取得部３４と、周波数解析部３６と、制御部３８と、画像データ格納部４０と、記憶部４１と、表示部４２と、通信部４４と、解析位置受付部４６と、を備えている。
【００３４】
画像データ取得部３４は、解析対象の装置である画像形成装置１４から送信されたシアン（Ｃ）、マゼンタ（Ｍ）、イエロー（Ｙ）およびブラック（Ｋ）の各色の画像データを取得する。
【００３５】
表示部４２は、制御部３８による制御に基づいて各種データの表示を行う。
【００３６】
通信部４４は、外部装置であるサーバ装置１２との間で通信を行う。
【００３７】
解析位置受付部４６は、ユーザの指定により、バンディング解析を実行する解析位置としての座標位置を受け付ける。この解析位置を中心にバンディング解析が行われる。
【００３８】
画像データ格納部４０は、ＣＭＹＫそれぞれのプリントチャート原稿を読取装置が読み取ることによって得られた複数の画像データと、これらの画像データを周波数解析部３６により得られた画像の周期および周波数の情報を格納している。
【００３９】
記憶部４１は、画像データと、これらの画像データから周波数解析部３６により解析されて検出されたピッチ情報と、この周波数解析部３６により検出した解析位置としての座標位置と、を関連付けて履歴情報として記憶する。
【００４０】
周波数解析部３６は、画像データ取得部３４により取得された画像データに対して、解析位置受付部４６により受け付けられた解析位置を含む領域について搬送方向に高速フーリエ変換（ＦＦＴ：Ｆａｓｔ  Ｆｏｕｒｉｅｒ  Ｔｒａｎｓｆｏｒｍ）を行う。
【００４１】
制御部３８は、画像データ取得部３４により取得された各色の画像データを表示部４２に表示するよう制御する。そして、ＣＭＹＫ各色について、画質のムラ（バンディング）を解析するバンディング解析処理を順次実行する。
【００４２】
なお、本実施形態においては、プリンタ等の画像形成装置により出力された画像の画質のムラ（バンディング）を解析するために、画像形成装置１４によって用紙に出力されたＣＭＹＫそれぞれ一色のみで一定濃度で塗り潰された画像（プリントチャート）を原稿とし、このＣＭＹＫそれぞれのプリントチャート原稿を読取装置が読み取ることによって得られた複数の画像データをバンディング解析処理の対象としている。また、バンディング解析処理の対象となる画像データは、画像形成装置１４、またはサーバ装置１２から送信された画像データであってもよいし、端末装置１０の画像データ格納部４０において予め保存されている画像データであってもよい。
【００４３】
制御部３８は、図１０に示されているように、解析位置受付部４６により受け付けられた解析位置Ａを含むラインである指定領域６４とそれ以外の指定外領域６６を濃淡をつけてマスク表示するように制御する。具体的には、指定領域６４を指定外領域６６に比べて明るい色で表示する。これにより解析位置Ａが明示される。そして、解析位置Ａを中心に第１の領域としての解析位置Ａを含む小範囲１００、第２の領域としての解析位置Ａを含む中範囲２００及び第３の領域としての解析位置Ａを含む大範囲３００における各領域（各範囲）の画像データの高速フーリエ変換を行って各解析結果である画像の周期および周波数の情報からピッチ情報が検出されるよう制御する。そして、周波数解析部３６により得られた画像の周波数および周期の情報を画像データとともに画像データ格納部４０に格納するよう制御する。そして、制御部３８は、高速フーリエ変換の解析結果により得られたバンディング解析結果をタッチパネルである表示部４２上に表示するよう制御する。
【００４４】
具体的には、ユーザがタッチパネルである表示部４２上に表示されたバンディング解析結果において、画質ムラがあると推測される領域を指で触れる等のタッチ操作を行うと、制御部３８は、このユーザのタッチ操作に基づいて、指定された解析位置Ａを中心として小範囲１００、中範囲２００及び大範囲３００に範囲を限定して行う領域の指定を受付ける。
【００４５】
すると、制御部３８は、指定された範囲（領域）において搬送方向に周波数解析を行う高速フーリエ変換の実行を周波数解析部３６に指示する。そのため、周波数解析部３６は、指示された領域に含まれる周波数成分に対して搬送方向に高速フーリエ変換を行う。
【００４６】
そして、制御部３８は、周波数解析部３６における高速フーリエ変換の解析結果からピッチ情報を検出し、バンディングの原因であると予測される部品のピッチを抽出する。
【００４７】
また、制御部３８は、取得したバンディングの原因であると予測される部品のピッチ情報を、画像形成装置１４の機種名、シリアル番号等の機種情報、画像形成装置１４の動作状態を示す動作状態情報とともに通信部４４を介してサーバ装置１２に送信する。具体的には、この動作状態情報には、取得された画像がシアン（Ｃ）なのか、マゼンタ（Ｍ）なのか、イエロー（Ｙ）なのか、ブラック（Ｋ）なのか、使用用紙の種類等の情報を含めるようにすることができる。このようにして、制御部３８は、周波数解析部３６により得られた周波数および周期の情報によるピッチ情報を、通信部４４を介してサーバ装置１２に送信する。
【００４８】
そしてサーバ装置１２は、端末装置１０から送信されてきた画像データのピッチ情報を抽出して、抽出されたピッチ情報からバンディングの原因部品を検索して、端末装置１０に送信する。
【００４９】
そして制御部３８は、サーバ装置１２から受信したピッチ情報に基づいて抽出されたバンディングの原因部品の情報をバンディング解析結果として表示部４２に表示するよう制御する。
【００５０】
なお、制御部３８は、サーバ装置１２から受信したバンディング解析結果が複数ある場合には、バンディングが大きい順に優先的に受信して表示部４２に表示するよう制御する。
【００５１】
ここで、周波数解析部３６において、小範囲１００、中範囲２００及び大範囲３００の各周波数および周期が検出され、各周波数および周期情報に基づいたピッチ情報が検出されるが、制御部３８は、小範囲１００、中範囲２００及び大範囲３００の全て解析結果のうち、最適な解析結果に基づいて優先的にピッチ情報および原因部品を画面上に表示する。
【００５２】
ここで、解析領域が小さくなるほど解析結果の精度がよくなるが、周波数および周期が大きい場合（ピッチが大きい場合）には、小範囲１００や中範囲２００では、適切な解析結果が得られない場合がある。解析領域において、大範囲が小範囲に比べて十分に大きい場合、主走査方向は固定で副走査方向（時間軸方向、搬送方向）のみ移動して解析を行うと、大範囲では副走査方向に移動しないため、検出される長周期ピッチは変化しないことがある。しかし、小範囲では画像サイズに対して小さいので副走査方向を変えて解析できるため、解析範囲が細かく追従し、検出ピッチが場所に応じて変化される。つまり、小範囲１００、中範囲２００、大範囲３００の領域全てを解析した上で最適な解析結果が優先的に抽出される。
【００５３】
また、制御部３８は、表示部４２において、取得された画像情報と解析結果の表示画面上の濃淡を調整して表示するよう制御する調整表示機能を有する。また、制御部３８は、表示部４２が操作されないように制御する操作ロック機能を有する。また、制御部３８は、表示部４２の画像情報及び解析結果の表示位置が移動されないように制御する移動ロック機能を有する。
【００５４】
次に、本実施形態のバンディング解析システムにおけるサーバ装置１２の機能構成を図４のブロック図を参照して説明する。
【００５５】
本実施形態のサーバ装置１２は、図４に示されるように、通信部４７と、制御部４８と、ピッチデータ格納部５０と、解析データ格納部５２と、を備えている。
【００５６】
ピッチデータ格納部５０は、図５に示されるように、画像形成装置１４に用いられている部品のピッチに関するピッチ情報と、このピッチから推定されるバンディングの原因部品等の情報を機種毎に格納している。
【００５７】
解析データ格納部５２は、過去に取得されたバンディング解析画像、その解析画像が取得された解析位置である座標位置、その解析結果、解析の際の装置の動作状態等の情報を機種毎に格納している。
【００５８】
そして、制御部４８は、端末装置１０から解析画像のピッチ情報を受信した場合、ピッチデータ格納部５０に格納されている複数のデータの中から、対応するピッチ情報を抽出し、このピッチ情報に基づいて、バンディングの原因部品となり得る部品が検出され、バンディングの原因部品として可能性の高いものから優先的に通信部４７を介して端末装置１０に送信する。
【００５９】
なお、本実施形態では、端末装置１０において画像データの高速フーリエ変換を行って、画像データの周波数および周期の情報に基づくピッチ情報をサーバ装置１２に送信するものとして説明しているが、高速フーリエ変換をサーバ装置１２側において実行するようにしても良い。
【００６０】
この場合には、サーバ装置１２に周波数解析部３６を設けて、端末装置１０からサーバ装置１２に対して画像データをそのまま送信し、サーバ装置１２において画像データに対する高速フーリエ変換を実行することになる。
【００６１】
次に、本実施形態におけるバンディング診断システムの動作を図６のフローチャートと図７〜１２の端末装置１０の表示部４２において表示される画面例を参照して説明する。
【００６２】
端末装置１０において測定対象である対象装置として画像形成装置１４によって用紙に出力されたＣＭＹＫそれぞれ一色のみで一定濃度で塗り潰された画像（プリントチャート）を原稿とし、このプリントチャート原稿を読取装置が読み取ることによって得られた画像データが端末装置１０に取得され、バンディング解析処理が実行される。
【００６３】
具体的には、端末装置１０には、ＣＭＹＫ各色の画像データに対してバンディングに関する解析処理を実行する機能が備わっており、バンディング解析処理を実行する場合、図７に示されるように、表示部４２は、バンディング解析の実行画面を表示する。
【００６４】
そして、バンディング解析画面には解析を開始する「解析開始」ボタン５４と「キャンセル」ボタン５６が表示され、「キャンセル」ボタン５６が押下された場合には、バンディング解析処理はキャンセルされ、「解析開始」ボタン５４が押下された場合に画像データ取得部３４がＣＭＹＫ各色の画像データを取得して（ステップＳ１０１）、バンディング解析処理を順次実行し、表示部４２に図８に示されるようなバンディング解析画像１が表示される（ステップＳ１０２）。
【００６５】
そして、図８に示されるようなバンディング解析画像１において、図９に示すように、ユーザが画質ムラがあると推測される箇所にタッチ操作を行うことにより、解析位置Ａが受け付けられる（ステップＳ１０３）。このとき、バンディング解析画像１の表示画面上の解析位置Ａを含むラインである指定領域６４と、指定外領域６６とが例えばグレースケールでマスク表示されている。
【００６６】
そして、図１０に示されるように、受け付けられた解析位置Ａを含む小範囲１００、この小範囲１００より大きい中範囲２００及びこの中範囲２００より大きい大範囲３００の各範囲（領域）の画像データについて高速フーリエ変換が実行される（ステップＳ１０４）。
【００６７】
高速フーリエ変換を行った範囲（領域）の周波数および周期の情報からピッチ情報が検出され、各範囲のピッチ情報をサーバ装置１２へ送信する（ステップＳ１０５）。
【００６８】
すると、サーバ装置１２では、受信した画像データのピッチ情報に基づいてピッチデータ格納部５０内を検索する（ステップＳ１０６）。
【００６９】
そして、サーバ装置１２は、ピッチ情報に基づいて検索されたピッチ、バンディングの原因部品等の情報を端末装置１０に送信する（ステップＳ１０７）。
【００７０】
すると、端末装置１０では、サーバ装置１２から送信されてきたピッチ、バンディングの原因部品等の情報を受信して（ステップＳ１０８）、図１１に示されるように、バンディング解析画像１の指定領域６４上に検出されたピッチＰを重ねて表示する（ステップＳ１０９）。ここで、指定領域６４に表示されたピッチＰと同ピッチのものが表示部４２の端のピッチ表示領域６７に表示される。バンディング解析画像１の周りの横方向（Ｘ軸方向）と縦方向（Ｙ軸方向）には、目盛りＭが表示され、目盛りＭとピッチＰを比較することでピッチの長さが視認される。
【００７１】
そして、指定領域６４上にピッチＰが重ねて表示された状態で、ピッチ表示領域６７に表示されたピッチＰをさらにタッチすると、図１２に示されるように、ピッチ表示領域６７に表示されたピッチ情報に基づいて送信されたバンディングの原因部品が部品抽出表示部６９にポップアップ表示される（ステップＳ１１０）。図１２は、部品抽出表示部６９が、周波数解析部３６における解析結果からピッチが４５ｍｍであると検出され、サーバ装置１２のピッチデータ格納部５０に格納された情報からバンディングの原因が「現像ハウジング」であると抽出されて表示する画像例を示している。
【００７２】
そして、部品抽出表示部６９の「交換してみる」ボタンが押下されると、端末装置１０から装置情報とともに、解析画像、解析位置である解析座標、解析結果、装置情報等がサーバ装置１２へ送信され、解析データ格納部５２へ格納される。なお、「交換してみる」ボタンが押下されない場合には、装置情報とともに、解析座標のみサーバ装置１２へ送信されて、解析データ格納部５２へ格納される。
【００７３】
次に、本発明の実施形態におけるバンディング診断システムの動作を説明するための表示画面例について詳述する。
【００７４】
端末装置１０のバンディング解析画像１の表示画面のピッチ表示領域６７の下方には、展開ボタン６８が表示されている。
図１３（ａ）の表示画面上において、展開ボタン６８が押下されると、図１３（ｂ）に示されるように解析位置Ａにおいて解析されて検出された他のピッチ情報がピッチ表示領域６７に複数表示される。すなわち、解析位置Ａの他の領域（範囲）のピッチ情報をバンディングの原因として可能性の高いものから順に例えばバンディング解析画像側から搬送方向に沿って並べて表示される。このように複数のピッチを並べて表示することで、各ピッチを比較し易くしてピッチの微差が視認される。また、図１３（ｃ）に示されているようにピッチ表示領域６７に表示された中から例えばピッチＰ２を選択すると、指定領域６４に、選択されたピッチＰ２が重ねて表示される。
【００７５】
また、図１４には、バンディング解析の履歴情報を表示する例が示されている。具体的には、不図示の解析履歴表示ボタンを有し、この解析履歴表示ボタンが押下されることにより、端末装置１０からサーバ装置１２へ解析履歴送信を要求するデータが送信され、サーバ装置１２では解析データ格納部５２に格納されている過去に取得された解析位置である座標位置Ｂ、この座標位置Ｂにおける解析結果、解析の際の装置の動作状態等の情報が抽出されて、これらの情報が端末装置１０へ送信され、過去に解析した座標位置Ｂが解析位置Ａと異なる色で表示される。また、座標位置Ｂをタッチすることで、座標位置Ｂにおける解析結果である部品抽出表示部６９がポップアップ表示される。また、座標位置Ｂにおけるバンディング解析画像や解析の際の装置の動作状態等の情報が表示されるようにしてもよい。
【００７６】
図１５は、バンディング解析を行って部品を交換した場合に端末装置１０の表示部４２に表示される画面例が示されている。ここでは、解析対象の装置情報において、バンディング解析結果により特定された原因部品を交換したことにより、バンディングが改善したか否かをサーバ装置１２へ送信する。バンディングが改善した場合には、「○」ボタン７８が押下され、改善されない場合には「×」ボタン８０が押下される。
【００７７】
図１５中「○」ボタン７８が押下された場合には、次にバンディング解析の履歴情報を表示される際に、過去に解析した解析位置（座標位置）の内、「○」ボタン７８が押下された解析位置である座標位置Ｃを図１６に示されているように解析位置Ａ及び座標位置Ｂとは異なる色で表示する。なお、座標位置Ｃを強調表示するようにしてもよい。すなわち、座標位置Ｃは、解析結果が合っていた場合であるから表示を明示し、解析する上でデータの優先度を上げることができる。なお、バンディングが改善したか否かをサーバ装置１２へ送信する場合に限らず、ユーザがバンディングの原因である可能性が高いと判断した場合の解析位置を明示して、格納されたデータを選別するようにしてもよい。
【００７８】
また、表示部４２には、読取装置により読み取られた原稿が全体表示されているが、バンディング解析画像上に表示された等倍ボタン７０を押下することにより、図１７に示されているように、表示部４２のバンディング解析結果をプリントチャート原稿と等倍に実寸表示することができる。これにより、バンディング解析画像１と実際のプリントチャート原稿とが比較して視認される。このとき、誤って表示部４２にタッチすることによって端末装置１０が誤動作を起こさないようにタッチ機能（操作機能）を停止する不図示のタッチロックボタンが設けられている。また、このときバンディング解析画像１の表示位置が左右上下に移動されないようにする不図示の移動ロックボタンが設けられている。
【００７９】
また、図１７及び図１８に示されるように、表示部４２には、バンディング解析画像の指定領域６４と指定外領域６６を含む全体領域７２中の表示部４２の表示範囲を示す選択範囲７４が表示されるエリア表示部７６が表示されている。選択範囲７４は、全体領域７２中枠で仕切って表示される。これにより、プリントチャート原稿に対してどの領域について解析結果が表示されているか視認される。
【００８０】
また、図１９に示されるように、表示部４２において、バンディング解析画像（バンディング解析結果）を濃淡を調整して表示することもできる。具体的には、例えばバンディング解析画像のコントラストを強調して、彩度０による白黒表示をして見易くする強調モードに表示する不図示のコントラスト切換ボタンを有し、このコントラスト切換ボタンを押下してオリジナルのバンディング解析画像と強調モードとが切り換えて表示される。
【００８１】
[変形例]
上記実施形態では、ピッチ情報検出に基づく動作をサーバ装置１２側で行う場合を用いて説明したが、これに限らず、端末装置１０側で行うようにしてもよい。
【００８２】
上記実施形態では、端末装置１０がタブレット端末装置である場合を用いて説明したが、本発明はこれに限定されるものではない。例えば、画像形成装置２０の操作パネルが本体から脱着可能な構成であって、サーバ装置１２と通信可能であり画像情報の取得機能を内蔵しているような構成の場合、この操作パネルを端末装置とするようにしても良い。
【００８３】
上記実施形態では、指定領域６４において解析位置Ａを中心として小範囲１００、中範囲２００、大範囲３００の領域について高速フーリエ変換をして周波数、周期の情報を抽出するようにしたが、これに限らず、１つや２つの領域について抽出するようにしてもよく、３つ以上の領域に分けて抽出するようにしてもよい。
【符号の説明】
【００８４】
１０    端末装置
１２    サーバ装置
１４    画像形成装置
２０    ＣＰＵ
２２    メモリ
２４    記憶装置
２６    無線ＬＡＮインタフェース（ＩＦ）
２８    入力装置
３０    表示装置
３４    画像データ取得部
３６    周波数解析部
３８    制御部
４０    画像データ格納部
４２    表示部
４４    通信部
４６    解析位置受付部
４７    通信部
４８    制御部
５０    ピッチデータ格納部
５２    解析データ格納部
６４    指定領域
６６    指定外領域
６８    展開ボタン
６９    部品抽出表示部
７０    等倍ボタン
７２    全体領域
７４    選択領域
７６    エリア表示部
【図１】
0006646257.tif 000002
【図２】
0006646257.tif 000003
【図３】
0006646257.tif 000004
【図４】
0006646257.tif 000005
【図５】
0006646257.tif 000006
【図６】
0006646257.tif 000007
【図７】
0006646257.tif 000008
【図８】
0006646257.tif 000009
【図９】
0006646257.tif 000010
【図１０】
0006646257.tif 000011
【図１１】
0006646257.tif 000012
【図１２】
0006646257.tif 000013
【図１３】
0006646257.tif 000014
【図１４】
0006646257.tif 000015
【図１５】
0006646257.tif 000016
【図１６】
0006646257.tif 000017
【図１７】
0006646257.tif 000018
【図１８】
0006646257.tif 000019
【図１９】
0006646257.tif 000020